(57)【要約】【課題】  レーザーダイオードの出力を制御するべく設けられているフロントモニターダイオードに照射されるレーザー光を効率よく利用する。【解決手段】レーザーダイオード１１から放射されるレーザー光が入射されるとともに対物レンズ８８方向へのレーザー光を透過させ、且つレーザー光の出力を制御するべく設けられているフロントモニターダイオード４４へレーザー光の一部をモニター用レーザー光として反射させる反射膜３３ａが形成されている偏光ビームスプリッタ３３と、前記反射膜３３の中の前記モニター用レーザー光を反射させるモニター用レーザー光反射部分の反射率をレーザーダイオード１１の出力制御に必要なレーザー光を得ることが出来る反射率に設定するとともにモニター用レーザー光反射部分以外の反射膜の透過率を略１００％にする。【選択図】  図１
2008077743.tif 000002
【特許請求の範囲】
【請求項１】
レーザー光を放射するレーザーダイオードと、該レーザーダイオードから放射されるレーザー光が入射される回折格子と、該回折格子を透過したレーザー光が入射されるとともに対物レンズ方向へのレーザー光を透過させ、且つレーザー光の出力を制御するべく設けられているフロントモニターダイオードへレーザー光の一部をモニター用レーザー光として反射させる反射膜が形成されている偏光ビームスプリッタとを備えた光ピックアップ装置であり、前記反射膜の中の前記モニター用レーザー光を反射させるモニター用レーザー光反射部分の反射率をレーザーダイオードの出力制御に必要なレーザー光を得ることが出来る反射率に設定するとともにモニター用レーザー光反射部分以外の反射膜の透過率を略１００％にしたことを特徴とする光ピックアップ装置。
【請求項２】
モニター用レーザー光反射部分の形状を円形にしたことを特徴とする請求項１に記載の光ピックアップ装置。
【請求項３】
モニター用レーザー光反射部分の径をフロントモニターダイオードの受光部に照射されて使用されるモニター用レーザー光の径よりも大にしたことを特徴とする請求項２に記載の光ピックアップ装置。
【請求項４】
偏光ビームスプリッタに設けられている反射膜にて光ディスクの信号記録層から反射される戻り光を光ピックアップ装置のトラッキング制御動作等に使用される信号を得るために設けられている光検出器へ導くようにしたことを特徴とする請求項１に記載の光ピックアップ装置。
【請求項５】
レーザー光を放射するレーザーダイオードと、該レーザーダイオードから放射されるレーザー光が入射される回折格子と、該回折格子を透過したレーザー光が入射されるとともに対物レンズ方向へのレーザー光を反射させ、且つレーザー光の出力を制御するべく設けられているフロントモニターダイオードへレーザー光の一部をモニター用レーザー光として透過させる反射膜が形成されている反射ミラーとを備えた光ピックアップ装置であり、前記反射膜の中のモニター用レーザー光を透過させるモニター用レーザー光透過部分の透過率をレーザーダイオードの出力制御に必要なレーザー光を得ることが出来る透過率に設定するとともにモニター用レーザー光透過部分以外の反射膜の透過率を略零にしたことを特徴とする光ピックアップ装置。
【請求項６】
モニター用レーザー光透過部分の形状を円形にしたことを特徴とする請求項５に記載の光ピックアップ装置。
【請求項７】
モニター用レーザー光透過部分の径をフロントモニターダイオードの受光部に照射されて使用されるモニター用レーザー光の径よりも大にしたことを特徴とする請求項６に記載の光ピックアップ装置。
【発明の詳細な説明】
【技術分野】
【０００１】
本発明は、光ディスクに記録されている信号の読み出し動作や光ディスクに信号の記録動作を行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
図５は従来の光ピックアップ装置の一般的な構成を示す要部の斜視図である。同図において、１はレーザー駆動回路から供給される駆動信号に対応した出力のレーザー光Ｌ１を放射するレーザーダイオードであり、レーザー光Ｌ１は断面が楕円状のレーザー光である。
【０００４】
２は前記レーザーダイオード１から放射されるレーザー光Ｌ１が入射される回折格子であり、０次光と＋１次光及び−１次光より成るレーザー光Ｌ２を生成出射する作用を成すものである。このようにして生成される０次光、＋１次光及び−１次光は、信号の再生動作、レーザー光を光ディスクの信号記録層に合焦させるフォーカシング制御動作及び信号トラックにレーザー光を追従させるトラッキング制御動作に使用されるものである。
【０００５】
３は前記回折格子２から出射されるレーザー光Ｌ２が入射される偏光ビームスプリッタであり、光ディスク（図示せず）に照射されるレーザー光Ｌ３を透過させるとともにレーザー光の出力を制御するべく設けられているフロントモニターダイオード４へ照射されるモニター用レーザー光Ｌ４を反射させる反射膜３ａが設けられている。また、前記反射膜３ａは後述するように光ディスクから反射される戻り光を反射させる作用も成すように構成されている。
【０００６】
５は前記偏光ビームスプリッタ３を透過したレーザー光Ｌ３が入射されるコリメータレンズであり、入射されるレーザー光Ｌ３を平行光であるレーザー光Ｌ５に変更する作用を成すものである。６は前記レーザー光Ｌ５が入射される反射ミラーであり、前記レーザー光Ｌ５の全てをレーザー光Ｌ６として光ディスク方向へ反射させる作用を成すものである。斯かる反射ミラー６は、一般的には立ち上げミラーと呼ばれている。
【０００７】
７は前記反射ミラー６から反射されたレーザー光Ｌ６が入射される１／４波長板であり、レーザー光Ｌ６の位相を１／４波長ずらせる作用を成すものである。８は前記１／４波長板７を透過したレーザー光Ｌ７が入射される対物レンズであり、光ディスクに設けられている信号記録層に絞ったレーザー光Ｌ８として合焦させる作用を成すものである。
【０００８】
前記対物レンズ８によって光ディスクの信号記録層に照射されたレーザー光Ｌ８は前記信号記録層から反射された戻り光として前記対物レンズ８に入射される。前記対物レンズ８に入射される戻り光は、前記１／４波長板７、反射ミラー６及びコリメータレンズ５を通して前記偏光ビームスプリッタ３に入射される。
【０００９】
このようにして、前記偏光ビームスプリッタ３に入射される戻り光の位相は前記１／４波長板７を往復通過するため１／２波長だけずれることになる。このようにして位相がずれた戻り光が前記偏光ビームスプリッタ３に入射されると、該偏光ビームスプリッタ３に形成されている反射膜３ａによって制御用レーザー光Ｌ９として反射される。
【００１０】
９は前記偏光ビームスプリッタ３の反射膜３ａにて反射された制御用レーザー光Ｌ９が入射されるセンサーレンズであり、ＰＤＩＣと呼ばれる光検出器１０に設けられている受光部に該制御用レーザー光Ｌ９を収束光として導いて照射させる作用を有している。
【００１１】
図５に示した光ピックアップ装置において、レーザーダイオード１から放射されるレーザー光Ｌ１は、回折格子２、偏光ビームスプリッタ３、コリメータレンズ５、反射ミラー６及び１／４波長板７を通して対物レンズ８に入射され、該対物レンズ８の合焦動作によって光ディスクの信号記録層に照射される。
【００１２】
前記信号記録層に照射されたレーザー光Ｌ８は該信号記録層から反射されて戻り光として対物レンズ８に入射される。前記対物レンズ８に入射された戻り光は、１／４波長板７、反射ミラー６及びコリメータレンズ５を介して偏光ビームスプリッタ３に入射される。
【００１３】
前記偏光ビームスプリッタ３に入射された戻り光は、位相が１／２波長分だけレーザーダイオード１側から入射されるレーザー光Ｌ２に対してずれており、前記偏光ビームスプリッタ３に設けられている反射膜３ａによって制御用レーザー光Ｌ９として反射される。このようにして得られる制御用レーザー光Ｌ９はセンサーレンズ９に入射されるとともに光検出器１０に設けられている受光部に照射される。
【００１４】
前記光検出器１０に設けられている受光部には、周知のような４分割センサー等が設けられており、光ディスクに記録されているデータ信号である再生信号、フォーカシング制御動作を行うためのフォーカシング制御信号及びトラッキング制御動作を行うためのトラッキング制御信号を生成するように構成されている。
【００１５】
また、前記レーザーダイオード１から放射されたレーザー光Ｌ１は、回折格子２によって回折されたレーザー光Ｌ２として偏光ビームスプリッタ３に入射されるが、その一部は反射膜３ａによって反射されてモニター用レーザー光Ｌ４としてフロントモニターダイオード４へ照射される。
【００１６】
前記フロントモニターダイオード４に照射されるモニター用レーザー光Ｌ４は、前記レーザーダイオード１から放射されるレーザー光Ｌ１の出力レベルに応じて変化することになる。従って、前記フロントモニターダイオード４から生成されるモニター信号をレーザーダイオード１に駆動信号を供給するべく設けられている駆動回路に帰還させることによってレーザーダイオード１から放射されるレーザー光Ｌ１の出力を所定値になるように制御するレーザーサーボ動作を行うことが出来る。斯かるレーザーサーボ動作は、周知であり、その説明は省略する。
【００１７】
従来の技術として図５に示した光ピックアップ装置は、偏光ビームスプリッタ３の反射膜３ａから反射されるレーザー光をモニター用レーザー光Ｌ４として使用するように構成されたものであるが、次に他の従来技術として示す図６に示す光ピックアップ装置について説明する。
【００１８】
図６において、図５に示した部材と同一の部材には同一の番号を付している。同図より明らかなようにモニター用レーザー光Ｌ４は反射ミラー６を透過したレーザー光を利用するように構成されている。即ち、斯かる構成の光ピックアップ装置では、反射ミラー６に入射されるレーザー光Ｌ５は、反射ミラー６によって全反射されず、その一部のレーザー光がモニター用レーザー光Ｌ４として透過するように該反射ミラー６に設けられている反射膜は構成されている。
【００１９】
図６に示した光ピックアップ装置においても図５に示した光ピックアップ装置と同一の動作を行うことによって光ディスクに記録されている信号の読み出し動作を行うことが出来る。
【００２０】
前述した従来の光ピックアップ装置において、レーザーダイオード１から放射されるレーザー光Ｌ１の一部がレーザー出力を制御するためのモニター用レーザー光Ｌ４として使用されるが、モニター用レーザー光Ｌ４として多くの光量を使用すると、光ディスクに設けられている信号記録層に照射されるレーザー光Ｌ８の光量がその分だけ少なくなる。
【００２１】
一方、光ディスク装置では、再生動作や記録動作を高速にて行うためにレーザー光Ｌ８の光量を強くする必要があり、そのためにレーザーダイオード１の高出力化が要求されている。しかしながら、レーザーダイオード１の高出力化には、限界があるだけでなく駆動電流の増加に伴う発熱等が大きな問題になっている。
【００２２】
斯かる問題を解決する方法としてモニター用レーザー光として使用されるレーザー光を効率よく利用する方法が開発されている。（特許文献１及び特許文献２参照。）
【特許文献１】特開平１１−８６３１３号公報
【特許文献２】特開２００３−２０８７２９号公報
【発明の開示】
【発明が解決しようとする課題】
【００２３】
前述した特許文献１または２にて示した従来技術は、光ピックアップ装置の信号読み取り動作に使用されないレーザー光、所謂不要光を利用したものであるが、レーザーダイオードのレーザー光放射特性のバラツキや組み立て工程のバラツキによって使用される光量が変化しやすいので、安定したレーザー出力の制御動作を行うことが出来ないという問題がある。
【００２４】
本発明は、斯かる問題を解決することが出来る光ピックアップ装置を提供しようとするものである。
【課題を解決するための手段】
【００２５】
本発明は、レーザー光を放射するレーザーダイオードと、該レーザーダイオードから放射されるレーザー光が入射される回折格子と、該回折格子を透過したレーザー光が入射されるとともに対物レンズ方向へのレーザー光を透過させ、且つレーザー光の出力を制御するべく設けられているフロントモニターダイオードへレーザー光の一部をモニター用レーザー光として反射させる反射膜が形成されている偏光ビームスプリッタとを備えた光ピックアップ装置において、前記モニター用レーザー光を反射させるモニター用レーザー光反射部分の反射率をレーザーダイオードの出力制御に必要なレーザー光を得ることが出来る反射率に設定するとともにモニター用レーザー光反射部分以外の反射膜の透過率が略１００％になるように構成されている。
【００２６】
また、本発明は、モニター用レーザー光反射部分の形状を円形にすることによってレーザー光の有効活用を行うように構成されている。
【００２７】
そして、本発明は、モニター用レーザー光反射部分の径をフロントモニターダイオードの受光部に照射されて使用されるモニター用レーザー光の径よりも大になるように構成されている。
【００２８】
また、本発明は、レーザー光を放射するレーザーダイオードと、該レーザーダイオードから放射されるレーザー光が入射される回折格子と、該回折格子を透過したレーザー光が
入射されるとともに対物レンズ方向へのレーザー光を反射し、且つレーザー光の出力を制御するべく設けられているフロントモニターダイオードへレーザー光の一部をモニター用レーザー光として透過させる反射膜が形成されている反射ミラーとを備えた光ピックアップ装置において、前記反射膜の中のモニター用レーザー光を透過させるモニター用レーザー光透過部分の透過率をレーザーダイオードの出力制御に必要なレーザー光を得ることが出来る透過率に設定するとともにモニター用レーザー光透過部分以外の反射膜の透過率を略零にするように構成されている。
【発明の効果】
【００２９】
本発明の光ピックアップ装置は、偏光ビームスプリッタに設けられている反射膜を構成するモニター用レーザー光反射部分の反射率をレーザーダイオードの出力制御に必要なレーザー光を得ることが出来る反射率に設定するとともにモニター用レーザー光反射部分以外の反射膜の透過率が略１００％になるようにしたので、光ディスクに記録されている信号の読み出し動作を行うために使用されるレーザー光として十分な光量を効率良く得ることが出来る。
【００３０】
また、本発明の光ピックアップ装置は、対物レンズ方向へレーザー光を反射させる反射ミラーに設けられている反射膜を構成するモニター用レーザー光透過部分の透過率をレーザーダイオードの出力制御に必要なレーザー光を得ることが出来る透過率に設定するとともにモニター用レーザー光透過部分以外の反射膜の透過率が略零になるようにしたので、光ディスクに記録されている信号の読み出し動作を行うために使用されるレーザー光として十分な光量を効率良く得ることが出来る。
【実施例１】
【００３１】
図１は本発明の光ピックアップ装置の一実施例を示す要部の斜視図、図２は要部の拡大斜視図である。
【００３２】
図１において、１１はレーザー駆動回路から供給される駆動信号に対応した出力のレーザー光Ｌ１１を放射するレーザーダイオードであり、レーザー光Ｌ１１は断面が楕円状のレーザー光である。
【００３３】
２２は前記レーザーダイオード１１から放射されるレーザー光Ｌ１１が入射される回折格子であり、回折動作によって０次光と＋１次光及び−１次光より成るレーザー光Ｌ２２を生成出射する作用を成すものである。このようにして生成される０次光、＋１次光及び−１次光は、信号の再生動作、レーザー光を光ディスクの信号記録層に合焦させるフォーカシング制御動作及び信号トラックにレーザー光を追従させるトラッキング制御動作に使用されるものであり、周知の技術によって各制御動作を行うことが出来るので、その説明は省略する。
【００３４】
３３は前記回折格子２２から出射されるレーザー光Ｌ２２が入射される偏光ビームスプリッタであり、後述する対物レンズに入射されるレーザー光Ｌ３３を透過させるとともにレーザー光の出力を制御するべく設けられているフロントモニターダイオード４４へ照射されるモニター用レーザー光Ｌ４４を反射させる反射膜３３ａが設けられている。また、前記反射膜３３ａは後述するように光ディスクから反射される戻り光を反射させる作用も成すように構成されている。
【００３５】
５５は前記偏光ビームスプリッタ３３の反射膜３３ａを透過したレーザー光Ｌ３３が入射されるコリメータレンズであり、入射されるレーザー光Ｌ３３を平行光であるレーザー光Ｌ５５に変更する作用を成すものである。６６は前記レーザー光Ｌ５５が入射される反射ミラーであり、前記レーザー光Ｌ５５の全てをレーザー光Ｌ６６として対物レンズ方向
へ反射させる作用を成すものである。斯かる反射ミラー６６は、一般的には立ち上げミラーと呼ばれている。
【００３６】
７７は前記反射ミラー６６から反射されたレーザー光Ｌ６６が入射される１／４波長板であり、レーザー光Ｌ６６の位相を１／４波長ずらせる作用を成すものである。８８は前記１／４波長板７７を透過したレーザー光Ｌ７７が入射される対物レンズであり、光ディスクに設けられている信号記録層に絞ったレーザー光Ｌ８８として合焦させる作用を成すものである。また、前記対物レンズ８８は、光ディスクの信号面に対して垂直方向への変位動作によってフォーカシング制御動作を行うとともに光ディスクの径方向への変位動作によってトラッキング制御動作を行うように構成されている。斯かる動作を行う対物レンズは、例えば４本の支持ワイヤーにて変位可能に設けられているが、斯かる構成も周知であるので説明は省略する。
【００３７】
前記対物レンズ８８によって光ディスクの信号記録層に照射されたレーザー光Ｌ８８は前記信号記録層から反射された戻り光として前記対物レンズ８８に入射される。前記対物レンズ８８に入射される戻り光は、前記１／４波長板７７、反射ミラー６６及びコリメータレンズ５５を通して前記偏光ビームスプリッタ３３に入射される。
【００３８】
このようにして、前記偏光ビームスプリッタ３３に入射される戻り光の位相は前記１／４波長板７７を往復通過するため１／２波長ずれることになる。このようにして位相がずれた戻り光が前記偏光ビームスプリッタ３３に入射されると、該偏光ビームスプリッタ３３に形成されている反射膜３３ａの偏光作用によって制御用レーザー光Ｌ９９として反射される。
【００３９】
９９は前記偏光ビームスプリッタ３３の反射膜３３ａにて反射された制御用レーザー光Ｌ９９が入射されるセンサーレンズであり、ＰＤＩＣと呼ばれる光検出器１０１に設けられている受光部に該制御用レーザー光Ｌ９９を収束光として導いて照射させる作用を有している。
【００４０】
図１に示した光ピックアップ装置において、レーザーダイオード１１から放射されるレーザー光Ｌ１１は、回折格子２２、偏光ビームスプリッタ３３、コリメータレンズ５５、反射ミラー６６及び１／４波長板７７を通して対物レンズ８８に入射され、該対物レンズ８８の合焦動作によって光ディスクの信号記録層に照射されることになる。
【００４１】
前記信号記録層に照射されたレーザー光Ｌ８８は該信号記録層から反射されて戻り光として対物レンズ８８に入射される。前記対物レンズ８８に入射された戻り光は、１／４波長板７７、反射ミラー６６及びコリメータレンズ５５を介して偏光ビームスプリッタ３３に入射される。
【００４２】
前記偏光ビームスプリッタ３３に入射された戻り光は、該偏光ビームスプリッタ３３に設けられている反射膜３３ａによって制御用レーザー光Ｌ９９として反射される。このようにして得られる制御用レーザー光Ｌ９９はセンサーレンズ９９に入射されるとともに該センサーレンズ９９によって収束されたレーザー光Ｌ１０１として光検出器１０１に設けられている受光部に照射される。
【００４３】
前記光検出器１０１に設けられている受光部としては、周知のような４分割センサー等が設けられており、光ディスクに記録されているデータ信号である再生信号、フォーカシング制御動作を行うためのフォーカシング制御信号及びトラッキング制御動作を行うためのトラッキング制御信号を生成するように構成されている。前記光検出器１０１に設けられている各種のセンサー部から得られる信号に基づくフォーカシング制御動作、トラッキ
ング制御動作及び信号再生動作等は周知であり、その説明は省略する。
【００４４】
また、前記レーザーダイオード１１から放射されたレーザー光Ｌ１１は、回折格子２２によって回折されたレーザー光Ｌ２２として偏光ビームスプリッタ３３に入射されるが、その一部は反射膜３３ａによって反射されてモニター用レーザー光Ｌ４４としてフロントモニターダイオード４４へ照射される。
【００４５】
前記フロントモニターダイオード４４に照射されるモニター用レーザー光Ｌ４４は、前記レーザーダイオード１１から放射されるレーザー光Ｌ１１の出力レベルに応じて変化することになる。従って、前記フロントモニターダイオード４４によって生成されるモニター信号をレーザーダイオード１１に駆動信号を供給するべく設けられている駆動回路に帰還させることによってレーザーダイオード１１から放射されるレーザー光Ｌ１１の出力を所定値になるように制御するレーザーサーボ動作を行うことが出来る。斯かるレーザーサーボ動作は、周知の回路にて構成することが出来るので、その説明は省略する。
【００４６】
ここで、本発明の要旨について図２に示した拡大図を参照して説明する。図２において、偏光ビームスプリッタ３３に設けられている反射膜３３ａに破線で示す円形状の部分Ａは、モニター用レーザー光Ｌ４４を反射させるモニター用レーザー光反射部分である。
【００４７】
４４ａはフロントモニターダイオード４４において、モニター信号の受光部として作用する受光部分である。斯かる受光部分４４ａの径と比較してモニター用レーザー光Ｌ４４の径は大になるようにされている。即ち、モニター用レーザー光Ｌ４４の径は、前記反射膜３３ａに設けられているモニター用レーザー光反射部分Ａの径によって決定されるので、モニター用レーザー光反射部分Ａの径を受光部分４４ａの径より少しく大にすればよいことになる。
【００４８】
前記モニター用レーザー光Ｌ４４の径を受光部分４４ａの径より大きくする理由は、フロントモニターダイオード４４の取り付け位置等に誤差があってもモニター用レーザー光Ｌ４４が受光部分４４ａに確実に照射されるようにするためである。
【００４９】
また、斯かる構成において、偏光ビームスプリッタ３３の反射膜３３ａに設けられているモニター用レーザー光反射部分Ａの反射率は、レーザーダイオード１１の出力制御に必要なレーザー光を得ることが出来る反射率に設定されている。即ち、モニター用レーザー光反射部分Ａの反射率をＰ％としたとき、該モニター用レーザー光反射部分Ａを透過するレーザー光は（１００−Ｐ）％となる。
【００５０】
そして、本発明の第１実施例では、前記偏光ビームスプリッタ３３に設けられている反射膜３３ａにおける前記モニター用レーザー光反射部分Ａ以外の部分の透過率は、略１００％になるように設定されている。
【００５１】
従って、本発明によれば、レーザーダイオード１１から照射されるレーザー光Ｌ１１の中の必要最小限のレーザー光がモニター用レーザー光Ｌ４４としてフロントモニターダイオード４４に供給されるので、光ディスクの信号記録層に照射されるレーザー光Ｌ８８の大きさを最大にすることが出来る。即ち、レーザーダイオード１１から照射されるレーザー光Ｌ１１を有効利用することが出来るので、レーザーダイオード１１の出力増加を抑えることが出来る。
【実施例２】
【００５２】
図３は本発明に係る光ピックアップ装置の他の一実施例を示す要部の斜視図、図４は要部の拡大斜視図である。
【００５３】
図３において、図１に示した部材と同一の部材には同一の番号を付している。同図より明らかなようにモニター用レーザー光Ｌ４４は反射ミラー６６を透過したレーザー光を利用するように構成されている。即ち、斯かる構成の光ピックアップ装置では、反射ミラー６６に入射されるレーザー光Ｌ５５は、反射ミラー６６によって全反射されず、その一部のレーザー光がモニター用レーザー光Ｌ４４として透過するように該反射ミラー６６に設けられている反射膜は構成されている。
【００５４】
ここで、本発明の要旨について図４に示した拡大図を参照して説明する。図４において、反射ミラー６６に設けられている反射膜６６ａに斜線で示す円形状の部分Ｂは、モニター用レーザー光Ｌ４４を透過させるモニター用レーザー光透過部分である。
【００５５】
４４ａはフロントモニターダイオード４４において、モニター信号の受光部として作用する受光部分である。斯かる受光部分４４ａの径と比較してモニター用レーザー光Ｌ４４の径は大になるようにされている。即ち、モニター用レーザー光Ｌ４４の径は、前記反射膜６６ａに設けられているモニター用レーザー光透過部分Ｂの径によって決定されるので、モニター用レーザー光透過部分Ｂの径を受光部分４４ａの径より少しく大にすればよいことになる。
【００５６】
モニター用レーザー光Ｌ４４の径を受光部分４４ａの径より大きくする理由は、フロントモニターダイオード４４の取り付け位置等に誤差があってもモニター用レーザー光Ｌ４４が受光部分４４ａに確実に照射されるようにするためである。
【００５７】
また、斯かる構成において、反射ミラー６６の反射膜６６ａに設けられているモニター用レーザー光透過部分Ｂの透過率は、レーザーダイオード１１の出力制御に必要なレーザー光を得ることが出来る透過率に設定されている。即ち、モニター用レーザー光透過部分Ｂの透過率をＱ％としたとき、該モニター用レーザー光透過部分Ｂにて反射されるレーザー光は（１００−Ｑ）％となる。
【００５８】
そして、本発明では、前記反射ミラー６６に設けられている反射膜６６ａの中の前記モニター用レーザー光透過部分Ｂ以外の部分の透過率は、略零になるように設定されている。
【００５９】
従って、本発明によれば、レーザーダイオード１１から照射されるレーザー光Ｌ１１の中の必要最小限のレーザー光がモニター用レーザー光Ｌ４４としてフロントモニターダイオード４４に供給されるので、光ディスクの信号記録層に照射されるレーザー光Ｌ８８の大きさを最大にすることが出来る。即ち、レーザーダイオード１１から照射されるレーザー光Ｌ１１を有効利用することが出来るので、レーザーダイオード１１の出力増加を抑えることが出来る。
【００６０】
尚、実施例１において、偏光ビームスプリッタ３３に設けられている反射膜３３ａを透過したレーザー光Ｌ３３を対物レンズ８８に導き、該反射膜３３ａにて反射されたレーザー光をモニター用レーザー光Ｌ４４として使用する光ピックアップ装置について説明したが、偏光ビームスプリッタ３３に設けられている反射膜３３ａにて反射されるレーザー光を対物レンズ８８に導き、該反射膜３３ａを透過するレーザー光をモニター用レーザー光として使用するように構成された光ピックアップ装置に実施することも出来る。
【００６１】
即ち、斯かる反射膜３３ａを透過するレーザー光をモニター用レーザー光として使用する光ピックアップ装置では、実施例２に示したように偏光ビームスプリッタ３３に設けられている反射膜３３ａの中のモニター用レーザー光透過部分Ｂの透過率を必要最小限に設
定し、そのモニター用レーザー光透過部分Ｂ以外の部分の透過率は、略零になるように設定されることになる。
【図面の簡単な説明】
【００６２】
【図１】本発明の光ピックアップ装置の一実施例を示す要部の斜視図である。
【図２】図１に示した光ピックアップ装置の要部拡大図である。
【図３】本発明の光ピックアップ装置の一実施例を示す要部の斜視図である。
【図４】図３に示した光ピックアップ装置の要部拡大図である。
【図５】従来の光ピックアップ装置の一実施例を示す要部の斜視図である。
【図６】従来の光ピックアップ装置の一実施例を示す要部の斜視図である。
【符号の説明】
【００６３】
１１      レーザーダイオード
２２      回折格子
３３      偏光ビームスプリッタ
４４      フロントモニターダイオード
５５      コリメータレンズ
６６      反射ミラー
７７      １／４波長板
８８      対物レンズ
Ａ      モニター用レーザー光反射部分
Ｂ      モニター用レーザー光透過部分
【図１】
2008077743.tif 000003
【図２】
2008077743.tif 000004
【図３】
2008077743.tif 000005
【図４】
2008077743.tif 000006
【図５】
2008077743.tif 000007
【図６】
2008077743.tif 000008